(57)【要約】【課題】電池部がケースに収容された状態でケース内部の真空吸着の際にケースと電池部の衝撃を最小化可能な二次電池用バッテリーセルおよびバッテリーパックを提供する。【解決手段】本発明の二次電池用バッテリーセルは、正極板となる第１極板と、負極板となる第２極板が交互に複数個積層され、第１極板と第２極板との間に分離膜が挿入される電池部と、電池部が収容されるケースと、を含むバッテリーセルであって、分離膜は、第１極板または第２極板より大きい面積を有しており、ケースには、電池部が収容される電池部空間が形成され、電池部空間の側面には、第１極板または第２極板と分離膜との段差によって形成される電池部の屈曲面に沿って折り曲げ部が形成されている。【選択図】図３
2014212113.tif 000002
【特許請求の範囲】
【請求項１】
正極板となる第１極板と、負極板となる第２極板が交互に複数個積層され、前記第１極板または第２極板のうち最上層に積層される最上層の極板と、前記第１極板または第２極板のうち最下層に積層される最下層の極板と、を備え、前記第１極板と前記第２極板との間に分離膜が挿入される電池部と、前記電池部が収容されるケースと、を含むバッテリーセルであって、
前記分離膜は、前記第１極板または前記第２極板より大きい面積を有しており、
前記ケースには、前記電池部が収容される電池部空間が形成され、前記電池部空間の側面には、前記第１極板または前記第２極板と分離膜との段差によって形成される前記電池部の屈曲面に沿って折り曲げ部が形成されている、二次電池用バッテリーセル。
【請求項２】
前記電池部空間は、
前記最上層の極板および前記最下層の極板が収容される第１収容空間と、
前記最上層の極板および前記最下層の極板以外の電池部が収容される第２収容空間と、を含み、
前記第１収容空間と第２収容空間とは、前記折り曲げ部で区切られる、請求項１に記載の二次電池用バッテリーセル。
【請求項３】
前記バッテリーセルは、前記最上層の極板を備える電池部の一面を包む第１ケースと、前記最下層の極板を備える電池部の他面を包む第２ケースとからなるケースを含み、
前記折り曲げ部は、前記第１ケース上に形成され、前記最上層の極板と前記分離膜との間に形成される第１折り曲げ部と、前記第２ケース上に形成され、前記最下層の極板と前記分離膜との間に形成される第２折り曲げ部と、を含む、請求項１に記載の二次電池用バッテリーセル。
【請求項４】
正極板となる第１極板と、負極板となる第２極板が交互に複数個積層され、前記第１極板または第２極板のうち最上層に積層される最上層の極板と、前記第１極板または第２極板のうち最下層に積層される最下層の極板と、を備え、前記第１極板と前記第２極板との間に分離膜が挿入される電池部と、前記電池部が収容されるケースと、を含むバッテリーセルであって、
前記分離膜は、前記第１極板または前記第２極板より大きい面積を有しており、
前記第２極板は、前記第１極板より大きい面積を有しており、
前記ケースには、前記電池部が収容される電池部空間が形成され、前記電池部空間の側面には、前記第１極板または前記第２極板と分離膜との段差によって形成される前記電池部の屈曲面に沿って第３折り曲げ部が形成され、前記第１極板と前記第２極板との段差によって形成される前記電池部の屈曲面に沿って第４折り曲げ部が形成されている、二次電池用バッテリーセル。
【請求項５】
前記電池部空間は、
前記最上層の極板および前記最下層の極板が収容される第３収容空間と、
前記最上層の極板と隣り合う第１極板または第２極板、および前記最下層の極板と隣り合う第１極板または第２極板が収容される第４収容空間と、
前記最上層の極板、前記最上層の極板と隣り合う第１極板または第２極板、前記最下層の極板、および前記最下層の極板と隣り合う第１極板または第２極板以外の電池部が収容される第５収容空間と、を含み、
前記第３収容空間と第４収容空間とは、前記第３折り曲げ部で区切られ、前記第４収容空間と第５収容空間とは、前記第４折り曲げ部で区切られる、請求項４に記載の二次電池用バッテリーセル。
【請求項６】
前記バッテリーセルは、前記最上層の極板を備える電池部の一面を包む第３ケースと、前記最下層の極板を備える電池部の他面を包む第４ケースとからなるケースを含み、
前記第３折り曲げ部は、前記第３ケース上に形成され、前記最上層の極板と、前記最上層の極板と隣り合う第１極板または第２極板との間に形成される第３−１折り曲げ部と、前記第４ケース上に形成され、前記最下層の極板と、前記最下層の極板と隣り合う第１極板または第２極板との間に形成される第３−２折り曲げ部と、を含み、
前記第４折り曲げ部は、前記第３ケース上に形成され、前記最上層の極板と隣り合う第１極板または第２極板と、分離膜との間に形成される第４−１折り曲げ部と、前記第４ケース上に形成され、前記最下層の極板と隣り合う第１極板または第２極板と、分離膜との間に形成される第４−２折り曲げ部と、を含む、請求項４に記載の二次電池用バッテリーセル。
【請求項７】
請求項１から６の何れか１項に記載のバッテリーセルを含む、二次電池用バッテリーパック。
【発明の詳細な説明】
【技術分野】
【０００１】
本発明は、二次電池用バッテリーセルおよびバッテリーパックに関し、より詳細には、電極組立体の形状と同様な形状の電極組立体空間を有するケースを含む二次電池用バッテリーセルおよびバッテリーパックに関する。
【背景技術】
【０００２】
通常、二次電池は、再充電および大容量化が可能なものであって、代表的なものとして、ニッケルカドミウム電池、ニッケル水素電池およびリチウムイオン電池などが挙げられる。このうち、前記リチウムイオン電池は、長寿命および高容量などの優れた特性により、次世代動力源として注目されている。このうち、リチウム二次電池は、作動電圧が３．６Ｖ以上であり、携帯用電子機器の電源として用いられるか、数個を直列連結して高出力のハイブリッドカーに用いられる。また、リチウム二次電池は、ニッケル‐カドミウム電池やニッケル−メタルハイドライド電池と比較して作動電圧が３倍高く、単位重量当たりエネルギー密度の特性にも優れており、使用が急速に増加している。
【０００３】
前記リチウム二次電池は、様々な形状に製造でき、代表的な形状としては、リチウムイオン電池に主に用いられる円筒型（cylinder type）および角型（prismatic type）が挙げられる。近年、脚光を浴びているリチウムポリマー電池は、柔軟性のあるパウチ型（pouched type）に製造されて、比較的自由な形状を有する。また、リチウムポリマー電池は、安全性に優れており、軽量であるため、携帯用電子機器のスリム化および軽量化に有利である。
【０００４】
図１は従来の二次電池パウチセルの構造を示す図であり、図２は従来の二次電池パウチセルの縦断面を示す図である。図示されたように、パウチセル１０は、電池部１１と、電池部１１が収容される電池部空間１２ｂを含むケース１２とからなる。電池部１１は、多数枚の正極板１１ａ、セパレータ１１ｂ、負極板１１ｃが積層された形状を有する。電池部１１の正極板１１ａは正極タブ１３と電気的に連結され、電池部１１の負極板１１ｃは負極タブ１４と電気的に連結されている。
【０００５】
また、ケース１２は、中問層が金属箔であり、金属箔の両面に貼り付けられる内外表層が絶縁性フィルムからなるパウチ型ケースである。パウチ型ケースは、成形性に優れ、自在に折り曲げられる。ケース１２には、上述したように、電池部１１を収容するための電池部空間１２ｂが形成されており、電池部空間１２ｂの周縁に沿って熱融着される面に提供するシール面１２ａが形成されている。
【先行技術文献】
【特許文献】
【０００６】
【特許文献１】韓国登録特許第１０−１１０６３２４号公報
【発明の概要】
【発明が解決しようとする課題】
【０００７】
前記のような構成のパウチセル１０は、図２に示すように、ケース１２に電池部１１が収容された状態で真空吸着によりケース１２と電池部１１とを密着させるが（矢印参照）、電池部１１の正極板１１ａ、セパレータ１１ｂ、負極板１１ｃは、その大きさがそれぞれ異なり、ケース１２の電池部空間１２ｂを形成する際にある程度余裕を持ってケース１２を作製することになる。したがって、ケース１２と電池部１１との間のギャップ１５によってケース１２の真空吸着の際に電池部１１に衝撃が加えられ、衝撃によって正極板１１ａおよび負極板１１ｃが損傷するという問題がある。特に、前記極板の一部が衝撃によって離脱してケース１２の内部を流動するようになると、パウチセル１０が損傷し、性能が低下するというさらなる問題が生じる。
【０００８】
したがって、ケース１２の真空吸着の際に、ケース１２と電池部１１の衝撃を最小化して電池部１１の損傷を防止するためのバッテリーセルの開発が要求される。
【０００９】
本発明は、前記のような問題を解決するために導き出されたものであって、本発明の目的は、電池部がケースに収容された状態でケース内部の真空吸着の際にケースと電池部の衝撃を最小化するために、電池部の形状と同様な形状の電池部空間を有するケースを含む二次電池用バッテリーセルおよびバッテリーパックを提供することにある。
【課題を解決するための手段】
【００１０】
本発明の二次電池用バッテリーセルは、正極板となる第１極板と、負極板となる第２極板が交互に複数個積層され、前記第１極板または第２極板のうち最上層に積層される最上層の極板と、前記第１極板または第２極板のうち最下層に積層される最下層の極板と、を備え、前記第１極板と前記第２極板との間に分離膜が挿入される電池部と、前記電池部が収容されるケースと、を含むバッテリーセルであって、前記分離膜は、前記第１極板または前記第２極板より大きい面積を有しており、前記ケースには、前記電池部が収容される電池部空間が形成され、前記電池部空間の側面には、前記第１極板または前記第２極板と分離膜との段差によって形成される前記電池部の屈曲面に沿って折り曲げ部が形成されている。
【００１１】
この際、前記電池部空間は、前記最上層の極板および前記最下層の極板が収容される第１収容空間と、前記最上層の極板および前記最下層の極板以外の電池部が収容される第２収容空間と、を含み、前記第１収容空間と第２収容空間とは、前記折り曲げ部で区切られる。
【００１２】
また、前記バッテリーセルは、前記最上層の極板を備える電池部の一面を包む第１ケースと、前記最下層の極板を備える電池部の他面を包む第２ケースとからなるケースを含み、前記折り曲げ部は、前記第１ケース上に形成され、前記最上層の極板と前記分離膜との間に形成される第１折り曲げ部と、前記第２ケース上に形成され、前記最下層の極板と前記分離膜との間に形成される第２折り曲げ部と、を含む。
【００１３】
他の態様において、本発明のバッテリーセルは、正極板となる第１極板と、負極板となる第２極板が交互に複数個積層され、前記第１極板または第２極板のうち最上層に積層される最上層の極板と、前記第１極板または第２極板のうち最下層に積層される最下層の極板と、を備え、前記第１極板と前記第２極板との間に分離膜が挿入される電池部と、前記電池部が収容されるケースと、を含むバッテリーセルであって、前記分離膜は、前記第１極板または前記第２極板より大きい面積を有しており、前記第２極板は、前記第１極板より大きい面積を有しており、前記ケースには、前記電池部が収容される電池部空間が形成され、前記電池部空間の側面には、前記第１極板または前記第２極板と分離膜との段差によって形成される前記電池部の屈曲面に沿って第３折り曲げ部が形成され、前記第１極板と前記第２極板との段差によって形成される前記電池部の屈曲面に沿って第４折り曲げ部が形成されている。
【００１４】
この際、前記電池部空間は、前記最上層の極板および前記最下層の極板が収容される第３収容空間と、前記最上層の極板と隣り合う第１極板または第２極板、および前記最下層の極板と隣り合う第１極板または第２極板が収容される第４収容空間と、前記最上層の極板、前記最上層の極板と隣り合う第１極板または第２極板、前記最下層の極板、および前記最下層の極板と隣り合う第１極板または第２極板以外の電池部が収容される第５収容空間と、を含み、前記第３収容空間と第４収容空間とは、前記第３折り曲げ部で区切られ、前記第４収容空間と第５収容空間とは、前記第４折り曲げ部で区切られる。
【００１５】
また、前記バッテリーセルは、前記最上層の極板を備える電池部の一面を包む第３ケースと、前記最下層の極板を備える電池部の他面を包む第４ケースとからなるケースを含み、前記第３折り曲げ部は、前記第３ケース上に形成され、前記最上層の極板と、前記最上層の極板と隣り合う第１極板または第２極板との間に形成される第３−１折り曲げ部と、前記第４ケース上に形成され、前記最下層の極板と、前記最下層の極板と隣り合う第１極板または第２極板との間に形成される第３−２折り曲げ部と、を含み、前記第４折り曲げ部は、前記第３ケース上に形成され、前記最上層の極板と隣り合う第１極板または第２極板と、分離膜との間に形成される第４−１折り曲げ部と、前記第４ケース上に形成され、前記最下層の極板と隣り合う第１極板または第２極板と、分離膜との間に形成される第４−２折り曲げ部と、を含む。
【００１６】
本発明の二次電池用バッテリーパックは、上述したバッテリーセルを含む。
【発明の効果】
【００１７】
前記のような構成による本発明の二次電池用バッテリーセルおよびバッテリーパックは、電池部がケースに密着した状態で収容されてケースの真空吸着の際に衝撃を最小化することで電池部の損傷を防止し、さらにバッテリーセルの性能低下を防止する。また、バッテリーセルを製造する際にケースの電池部空間数値を精密に制御してバッテリーセルの大きさを精密に設計できるという効果がある。
【図面の簡単な説明】
【００１８】
【図１】従来の二次電池用バッテリーセルの斜視図である。
【図２】図１のＡ−Ａ’部分の断面図である。
【図３】本発明の第１実施例による二次電池用バッテリーセルの斜視図である。
【図４】図３のＢ−Ｂ’部分の断面図である。
【図５】本発明の第２実施例による二次電池用バッテリーセルの斜視図である。
【図６】図５のＣ−Ｃ’部分の断面図である。
【発明を実施するための形態】
【００１９】
以下、前記のような本発明の一実施例による二次電池用バッテリーセルについて図面を参照して詳細に説明する。
【００２０】
＜実施例１＞
図３には本発明の第１実施例によるバッテリーセル１００の斜視図が示されており、図４には本発明の第１実施例によるバッテリーセル１００の縦断面図が示されている。図示されたように、バッテリーセル１００は、電池部１１０と、ケース１２０と、正極タブ１３０と、負極タブ１４０と、折り曲げ部１５０と、を含んでなる。
【００２１】
電池部１１０は、多数枚の第１極板１１１、分離膜１１２、第２極板１１３が積層された形状を有する。詳細には、多数枚の第１極板１１１と第２極板１１３が交互に積層され、交互に積層される第１極板１１１と第２極板１１３との間に分離膜１１２が配置されて積層される。電池部１１０は、第１極板１１１または第２極板１１３のうち最上層に積層される最上層の極板と、第１極板１１１または第２極板１１３のうち最下層に積層される最下層の極板と、を備える。図面上には、最上層の極板および最下層の極板が第１極板１１１と示されているが、第２極板１１３であってもよい。
【００２２】
第１極板１１１は、最上層の極板であってもよく、最下層の極板であってもよい。即ち、第１極板１１１は、電池部１１０の両端に配置されてもよい。第１極板１１１は正極板となり、第２極板１１３は負極板となってもよい。分離膜１１２の横断面積は、第１極板１１１と第２極板１１３との短絡を防止するために、第１極板１１１と第２極板１１３の横断面積より大きく形成され、第１極板１１１の横断面積は、第２極板１１３の横断面積より小さく形成されてもよい。電池部１１０の正極板は正極タブ１３０と電気的に連結され、電池部１１０の負極板は負極タブ１４０と電気的に連結されている。
【００２３】
上述したように、第１極板１１１は分離膜１１２より小さい横断面積を有するため、電池部１１０には、最上層の極板と、隣り合う分離膜１１２との間の境界に段差が生じる。したがって、電池部１１０が収容される本発明のケース１２０は、電池部１１０がケース１２０に密着収容されるようにするために、次のような構成を有する。
【００２４】
ケース１２０には、電池部１１０が収容される電池部空間１２２が形成され、電池部空間１２２の周縁に沿って熱融着されるシール面１２１が形成されている。この際、電池部空間１２２が形成されるケース１２０上には、上述した第１極板１１１と分離膜１１２との間の境界段差に対応する折り曲げ部１５０が形成される。折り曲げ部１５０は、第１極板１１１と分離膜１１２の段差によって形成される電池部１１０の屈曲面に沿って形成される。電池部空間１２２は、第１極板１１１が収容される第１収容空間と、前記第１極板１１１以外の残りの電池部が収容される第２収容空間とからなり、前記第１収容空間と第２収容空間とは、折り曲げ部１５０で区切られることができる。以下、折り曲げ部１５０の構成について詳細に説明する。
【００２５】
ケース１２０は、電池部１１０の一面を包む第１ケース１２０ａと、電池部１１０の他面を包む第２ケース１２０ｂとからなる。第１ケース１２０ａと第２ケース１２０ｂは、一体に形成されて半分に折り曲げられて結合（シングルフォーミング）されるか、それぞれ分離形成されて結合（ダブルフォーミング）されてもよい。第１ケース１２０ａは、第２ケース１２０ｂとの結合のための第１シール面１２１ａと、電池部１１０の一面を包む第１電池部面１２３ａと、電池部１１０の側面を包む第１電池部側面１２４ａとからなる。この際、折り曲げ部１５０のうち、第１ケース１２０ａに形成される第１折り曲げ部１５１は、第１電池部側面１２４ａ上に形成される。第１折り曲げ部１５１は、電池部１１０の最上層に配置される第１極板１１１と、電池部１１０の最上層に配置される第１極板１１１と隣り合う分離膜１１２との間の境界部に沿って形成されることができる。これにより、第１折り曲げ部１５１により電池部１１０がケース１２０に収容されたときに余裕空間、すなわちギャップを最小化できるという利点がある。
【００２６】
第２ケース１２０ｂは、第１ケース１２０ａとの結合のための第２シール面１２１ｂと、電池部１１０の他面を包む第２電池部面１２３ｂと、電池部１１０の側面を包む第２電池部側面１２４ｂとからなる。この際、折り曲げ部１５０のうち、第２ケース１２０ｂに形成される第２折り曲げ部１５２は、第２電池部側面１２４ｂ上に形成される。第２折り曲げ部１５２は、電池部１１０の最下層に配置される第１極板１１１と、電池部１１０の最下層に配置される第１極板１１１と隣り合う分離膜１１２との間の境界部に沿って形成されることができる。これにより、第２折り曲げ部１５２により電池部１１０がケース１２０に収容されたときに余裕空間、すなわちギャップを最小化できるという利点がある。
【００２７】
＜実施例２＞
図５には本発明の第２実施例によるバッテリーセル２００の斜視図が示されており、図６には本発明の第２実施例によるバッテリーセル２００の縦断面図が示されている。図示されたように、バッテリーセル２００は、電池部２１０と、ケース２２０と、正極タブ２３０と、負極タブ２４０と、第３折り曲げ部２５０と、第４折り曲げ部２６０と、を含んでなる。電池部２１０は、第１極板２１１または第２極板２１３のうち最上層に積層される最上層の極板と、第１極板２１１または第２極板２１３のうち最下層に積層される最下層の極板と、を備える。図面上には、最上層の極板および最下層の極板が第１極板２１１と示されているが、第２極板２１３であってもよい。
【００２８】
本発明の第２実施例のバッテリーセル２００は、上述した第１実施例のバッテリーセル１００とケース２２０の構成のみが相違するだけであって、他の構成は同様であるため、以下では、ケース２２０の構成について詳細に説明する。
【００２９】
図６に示すように、本発明の第２実施例によるバッテリーセル２００において、ケース２２０の内部の真空吸着の際に分離膜２１２が折り曲げられるという点に鑑みて、ケース２２０を次のように構成した。
【００３０】
上述したように、分離膜２１２が真空吸着によって折り曲げられる場合、第１極板２１１は第２極板２１３より小さい横断面積を有するため、電池部２１０には、電池部２１０の最上層に積層される最上層の極板（図面上の第１極板２１１）と、前記最上層の極板と隣り合う第２極板２１３との間の境界に段差が生じる。また、前記最上層の極板と隣り合う第２極板２１３と、分離膜２１２との間の境界に段差が生じる。したがって、電池部２１０が収容される本発明のケース２２０は、電池部２１０がケース２２０に密着収容されるようにするために、次のような構成を有する。
【００３１】
ケース２２０には電池部２１０が収容される電池部空間２２２が形成され、電池部空間２２２の周縁に沿って熱融着されるシール面２２１が形成されている。この際、電池部空間２２２が形成されるケース２２０上には最上層の極板（図面上の第１極板２１１）と、前記最上層の極板と隣り合う第２極板２１３との間の境界段差に対応する第３折り曲げ部２５０が形成され、前記最上層の極板と隣り合う第２極板２１３と、前記第２極板２１３と隣り合う分離膜２１２との間の境界段差に対応する第４折り曲げ部２６０が形成される。電池部空間２２２は、前記最上層の極板が収容される第３収容空間と、前記最上層の極板と隣り合う第２極板２１３が収容される第４収容空間と、前記最上層の極板および前記最上層の極板と隣り合う第２極板２１３以外の残りの電池部が収容される第５収容空間とからなる。前記第３収容空間と第４収容空間とは、第３折り曲げ部２５０で区切られ、前記第４収容空間と第５収容空間とは、第４折り曲げ部２６０で区切られることができる。以下、第３折り曲げ部２５０および第４折り曲げ部２６０の構成について詳細に説明する。
【００３２】
ケース２２０は、電池部２１０の一面を包む第３ケース２２０ａと、電池部２１０の他面を包む第４ケース２２０ｂとからなる。第３ケース２２０ａと第４ケース２２０ｂは一体に形成されて半分に折り曲げられて結合（シングルフォーミング）されるか、それぞれ分離形成されて結合（ダブルフォーミング）されてもよい。第３ケース２２０ａは、第４ケース２２０ｂとの結合のための第１シール面２２１ａと、電池部２１０の一面を包む第１電池部面２２３ａと、電池部２１０の側面を包む第１電池部側面２２４ａとからなる。この際、第３折り曲げ部２５０のうち、第３ケース２２０ａに形成される第３−１折り曲げ部２５１は、第１電池部側面２２４ａ上に形成される。第３−１折り曲げ部２５１は、電池部２１０の最上層の極板（図面上の第１極板２１１）と、前記最上層の極板と隣り合う第２極板２１３との間の境界部に沿って形成されることができる。また、第４折り曲げ部２６０のうち、第３ケース２２０ａに形成される第４−１折り曲げ部２６１は、第１電池部側面２２４ａ上の第３−１折り曲げ部２５１の下側に所定距離離隔して形成される。第４−１折り曲げ部２６１は、電池部２１０の最上層の極板と隣り合って配置される第２極板２１３と、前記第２極板２１３と隣り合う分離膜２１２との間の境界部に沿って形成されることができる。したがって、第３−１折り曲げ部２５１および第４−１折り曲げ部２６１を介して電池部２１０がケース２２０に収容されたときに余裕空間、すなわちギャップを最小化できるという利点がある。
【００３３】
第４ケース２２０ｂは、第３ケース２２０ａとの結合のための第２シール面２２１ｂと、電池部２１０の他面を包む第２電池部面２２３ｂと、電池部２１０の側面を包む第２電池部側面２２４ｂとからなる。この際、第３折り曲げ部２５０のうち、第４ケース２２０ｂに形成される第３−２折り曲げ部２５２は、第２電池部側面２２４ｂ上に形成される。第３−２折り曲げ部２５２は、電池部２１０の最下層の極板（図面上の第１極板２１１）と、前記最下層の極板と隣り合う第２極板２１３との間の境界部に沿って形成されることができる。また、第４折り曲げ部２６０のうち、第４ケース２２０ｂに形成される第４−２折り曲げ部２６２は、第２電池部側面２２４ｂ上の第３−２折り曲げ部２５２の上側に所定距離離隔して形成される。第４−２折り曲げ部２６２は、電池部２１０の最下層の極板と隣り合って配置される第２極板２１３と、前記第２極板２１３と隣り合う分離膜２１２との間の境界部に沿って形成されることができる。これにより、第３−２折り曲げ部２５２および第４−２折り曲げ部２６２により電池部２１０がケース２２０に収容されたときに余裕空間、すなわちギャップを最小化できるという利点がある。
【００３４】
本発明の二次電池用バッテリーパックは、上述した本発明の第１実施例のバッテリーセル１００または第２実施例のバッテリーセル２００が複数個積層されて設けられており、前記バッテリーセル１００、２００が収容されるケースと、前記ケースに収容される通常のターミナルおよびバッテリー管理システム（ＢＭＳ）を含んでなる。
【００３５】
本発明の上述の実施例に限定して技術的思想を解釈してはならない。適用範囲が多様であることは言うまでもなく、請求範囲で請求する本発明の要旨から逸脱することなく当業者の水準で様々な変形実施が可能である。したがって、かかる改良および変更は当業者にとって自明なものであるため、本発明の保護範囲に属することになる。
【符号の説明】
【００３６】
１００、２００  バッテリーセル
１１０、２１０  電池部
１１１、２１１  第１極板
１１２、２１２  分離膜
１１３、２１３  第２極板
１２０、２２０  ケース
１２１、２２１  シール面
１２２、２２２  電池部空間
１３０、２３０  正極タブ
１４０、２４０  負極タブ
１５０  折り曲げ部
１５１  第１折り曲げ部
１５２  第２折り曲げ部
２５０  第３折り曲げ部
２５１  第３−１折り曲げ部
２５２  第３−２折り曲げ部
２６０  第４折り曲げ部
２６１  第４−１折り曲げ部
２６２  第４−２折り曲げ部
【図１】
2014212113.tif 000003
【図２】
2014212113.tif 000004
【図３】
2014212113.tif 000005
【図４】
2014212113.tif 000006
【図５】
2014212113.tif 000007
【図６】
2014212113.tif 000008